(57)【特許請求の範囲】
【請求項１】
（ａ）  第一の光ファイバ、及び
（ｂ）  複数の第二の光ファイバとからなり、
前記第二の光ファイバの断面のアスペクト比は２以上であり、
前記第二の光ファイバの端部は結合構造を形成し、
各第二の光ファイバの端部は、他の第二の光ファイバの端部の長さに沿って、かつ、前記第一の光ファイバの長さに沿って結合され、
前記第一の光ファイバが、前記第二の光ファイバの断面のアスペクト比より小さいアスペクト比をもつ断面を有する、
ことを特徴とする光ファイバを有する製品。
【請求項２】
前記構造は外径を有し、前記外径は前記構造の端部付近の小径値に収斂するようにテーパ付けされている、
ことを特徴とする請求項１に記載の製品。
【請求項３】
前記第二の光ファイバの断面は矩形であり、
前記第二の光ファイバは前記構造内の第一の光ファイバの外周の周りに配置されている、
ことを特徴とする請求項１に記載の製品。
【請求項４】
前記第二の光ファイバの断面は台形状であり、前記台形の最長辺の長さと最短辺の長さは少なくとも２倍は異なり、前記第二の光ファイバは前記第一の光ファイバの外周の周りに配置されている、
ことを特徴とする請求項１に記載の製品。
【請求項５】
（ａ）  複数のレーザ・ダイオード、及び
（ｂ）  ファイバ束で構成し、
前記ファイバ束は、
（ｉ）第一の光ファイバ、及び
（ｉｉ）複数の第二の光ファイバからなり、
前記第二の光ファイバの断面のアスペクト比は２以上であり、
前記第二の光ファイバの端部は結合構造を形成し、
各第二の光ファイバの端部は、他の第二の光ファイバの端部の長さに沿って、かつ、前記第一の光ファイバの長さに沿って結合され、
前記各レーザ・ダイオードは前記第二の光ファイバのうちの一つと光学的に結合され、前記第一の光ファイバが、前記第二の光ファイバの断面よりアスペクト比が小さい断面を有する、
ことを特徴とする装置。
【請求項６】
前記各第二の光ファイバは細長状の断面を有し、前記細長状の方向は、前記光ファイバに結合された前記レーザ・ダイオードの細長状発光面の方向と平行に配列されている、
ことを特徴とする請求項５に記載の装置。
【請求項７】
前記ファイバ束に光学的に末端結合された増幅器光ファイバを更に含む、
ことを特徴とする請求項５に記載の装置。
【請求項８】
（ａ）  ダイオードからのポンプ光を付属ポンプ光ファイバへ送信し、前記ポンプ光フ
ァイバの断面は少なくとも２以上のアスペクト比を有し、
（ｂ）  前記送信されたポンプ光を前記ポンプ光ファイバで介して増幅器光ファイバの
一方の端部へ配信し、
（ｃ）  入力光信号を送信用光ファイバで介して増幅器光ファイバの一方の端部へ送信
し、前記ポンプ光ファイバの端部は、ファイバ束を形成するため前記送信用光
ファイバの長さに沿って結合され、前記送信用光ファイバが前記ポンプ光ファ
イバの断面よりアスペクト比が小さい断面を有する、
ことを含むことを特徴とする入力光信号の増幅方法。
【請求項９】
前記配信されたポンプ光と前記送信された入力光信号の一部は増幅器光ファイバの端部の比較的外側領域と内側領域に入力する、
ことを特徴とする請求項８に記載の方法。
【請求項１０】
前記配信はリボン形状を有するファイバに沿って前記ポンプ光を送信することを含む、
ことを特徴とする請求項９に記載の方法。
【発明の詳細な説明】
【０００１】
【発明の属する技術分野】
本発明は光ファイバ及び光ファイバ増幅器に関する。
【０００２】
【従来の技術】
幾つかの光増幅器は光増幅を行うためにドープ光ファイバを使用する。ドープ増幅ファイバは多モードポンプ光(pump light)と、増幅のための単一モード入力光信号との両方を受信する。或る構成では、ポンプ光と入力光信号の両方を増幅器ファイバの一方の端部に導入する。ポンプ光及び入力光信号は別々のファイバから来るので、これらのファイバはしばしば、増幅器ファイバに結合される前に、束状に集合させられる。ファイバ束は増幅器ファイバとの結合性を改善する。
【０００３】
図１は常用のファイバ束１２を使用するファイバ増幅器１０の一部を示す概要図である。ファイバ束１２は場合により、端部１３を介して増幅器ファイバ１４（例えば、エルビウム及び／又はイッテルビウムドーパントを有する多モードファイバ）に結合されている。ファイバ束１２は２個以上のポンプファイバ１６−２１と入力ファイバ２４とを組み込んでいる。各ポンプファイバ１６−２１は単一のレーザ・ダイオード２７−３２から一方の端部にポンプ光を受光し、この光を全内部反射により、増幅器ファイバ１４と結合する端部１３へ移送する。入力ファイバ２４は増幅すべき光信号を配送する。端部１３の付近で、ファイバ束１２の各ファイバ１６−２１，２４は一緒に結合されている。
【０００４】
図２は図１に示されたファイバ束１２の端部１３の断面図である。入力ファイバ２４はファイバ束１２の中心部に配置された単一モード光ファイバである。ポンプファイバ１６−２１は入力ファイバ２４の円周上の周囲に配置された多モード光ファイバである。
【０００５】
完全なファイバ束１２及び増幅器ファイバ１４はそれぞれ異なる外径を有することができる。外径が異なる場合、ファイバ束の直径は結合部において増幅器ファイバ１４の直径と整合するために、結合端部１３に隣接するファイバ束１２の領域２５はテーパが付けられている。外径が整合することにより、ファイバ束１２から増幅器ファイバ１４への光移送が改善される。
【０００６】
増幅器ファイバは、光学的に活性なドーパントに対するポンプ光の結合を高める多角形断面を有する外側コアを有することもできる。
【０００７】
【発明が解決しようとする課題】
ファイバ束１２及び増幅器ファイバ１４の様々な特徴はファイバ増幅器１０における光結合を改善する。しかし、増幅器の光利得を更に一層高めるために、一層優れた光結合が望まれている。
【０００８】
【課題を解決するための手段】
前記課題は本発明の製品により解決される。本発明の製品は、第一の光ファイバと複数の第二の光ファイバを有する。第二の光ファイバの断面のアスペクト比は２以上である。第二の光ファイバの遠位部分は結合構造を形成する。この結合構造において、各遠位部分は、長さに沿って、別の一方の遠位部分及び第一の光ファイバに結合する。
【０００９】
また、前記課題は本発明の装置により解決される。本発明の装置は複数のレーザ・ダイオードと１本のファイバ束とを有する。このファイバ束は、第一の光ファイバと複数の第二の光ファイバとを有する。第二の光ファイバの断面のアスペクト比は２以上である。第二の光ファイバの遠位部分は結合構造を形成する。この結合構造において、各遠位部分は、長さに沿って、別の一方の遠位部分及び第一の光ファイバに結合する。各レーザ・ダイオードは、レーザ・ダイオードのうちの一つと光学的に結合される。
【００１０】
更に、前記課題は本発明の入力光信号の増幅方法により解決される。本発明の増幅方法は、レーザ・ダイオードからのポンプ光を関連するポンプ光ファイバへ伝送するステップからなる。光ファイバの断面のアスペクト比は２以上である。本発明の方法はまた、伝送されたポンプ光を増幅器光ファイバの一方の端部へ配送し、そして、入力光信号を増幅器光ファイバの一方の端部へ伝送するステップを更に有する。
【００１１】
【発明の実施の形態】
図３は、図１の常用の増幅器１０のレーザ・ダイオード３０と付属のポンプファイバ１８との間の光結合を示す概要図である。レーザ・ダイオード３０は細長い矩形の発光面４２を有する。この発光面は、細長い矩形の断面を有するレーザ光ビームを放射する。放射された光ビームはポンプファイバ１６の端部４３に向かって伝搬する。ビームの断面が細長状なので、ビームはポンプファイバ１６の端部４３の狭い帯状領域だけをカバーする。
【００１２】
ここでは、細長面領域のアスペクト比は少なくとも２であり、２〜４であるか、若しくはこれよりも高い値である。ここで、アスペクト比は関連領域の最大幅と該領域の最小幅との比率である。例えば、矩形断面のアスペクト比は、矩形の対角線の長さと矩形の最も短い側辺の長さの比率である。
【００１３】
レーザ・ダイオード３０に対するカップリングを改善するために、ポンプファイバ１８の端部４３はのみのような形をしている。端部４３の頂端は円筒形レンズ４４を形成する。発光面４２はレンズ４４の焦平面上に位置する。このため、レンズ４４はポンプファイバ１８に入射するレーザ光を平行にする。平行化された後、レーザ光はポンプファイバ１８の軸に対して一層平行に伝搬する。その結果、ファイバ１８の側面４５からの光の漏洩が少なくなる。それにも拘わらず、発光面４２の断面積とポンプファイバ１８の断面積との大きな差はファイバ１８へのレーザ光を大幅に減少させる。更に、ポンプファイバ１６−２１の円形は通常のファイバ束１２のパッキングスペースを浪費するので、増幅器ファイバ１４に効率的に結合させることができるダイオード２７−３２の個数が制限される。
【００１４】
図４Ａはファイバ束５０の或る実施態様の結合端部を示す。ファイバ束５０は、細長い矩形の断面を有するポンプファイバ（例えば、多モード光ファイバ）５２−６３を使用する。ポンプファイバ５２−６３は中心の光ファイバ６６の円周周囲にパックされる。隣接するポンプファイバ５２−６３は光ファイバ６６に接触している。シリコン系材料６８はファイバ５２−６３を結合端部で一緒に結合する。
【００１５】
中心ファイバ６６は、ポンプファイバ５２−６３の矩形断面の長辺の長さよりも大きいか、小さいか又は等しい円形断面を有する。中心光ファイバ６６は単一モード又は多モード光ファイバの何れかである。ポンプファイバ５２−６３の断面の長辺は、中心ファイバ６６の中心に対して放射状に配向されている。
【００１６】
各ポンプファイバ５２−６３の一部分は隣接するポンプファイバ５２−６３と中心ファイバに結合され、結合構造体８３を形成する。結合構造体８３において、長さが３〜５ｍｍ又はこれ以上のファイバ５２−６３が一緒に結合される。この結合により、構造体中のファイバ５２−６３とファイバ６６とを平行に維持し、その結果、ファイバ５２−６３及び６６の間例えば、軸α、β及びγ間の角度の開きは５゜、１０゜又は１５゜未満である。
【００１７】
ファイバ束５０の幾つかの実施態様では、アスペクト比が２，３、４またはこれ以上の断面を有するポンプファイバ５２−６３を使用する。ポンプファイバ５２−６３の断面の長辺が中心ファイバ６６の軸に対して放射状に配向されている場合、図１〜図２に示された従来技術のファイバ束１２よりも一層多数のポンプファイバ５２−６３をファイバ束５０内に組み込むことができる。一層多数のポンプファイバ５２−６３を有することにより、ファイバ束５０は一層多くのポンプ光を配送することができ、或いは、一層低いパワーレベルにおいてダイオード８４，８９，９０，９５を動作させ、従来技術のファイバ束と同じポンプ光量を増幅器に与えることができる。しかし、ポンプファイバ５２−６３の個数は、ファイバ束５０の実施態様毎に異ならせることもできる。
【００１８】
様々な実施態様において、ポンプファイバ５２−６３の断面は、３、４、５又は６辺の細長い多辺形である。この多辺形断面は、通常の丸形又は円筒形多モードファイバの製造において使用されるコアプリフォームの表面を研削することにより製造することができる。この研削により、選択された多辺形断面の平坦な側面が生成される。
【００１９】
幾つかの実施態様では、ポンプファイバ５２−６３の断面は細長状であり、例えば、丸みの付けられた角部有する多辺形である。これらファイバの断面のアスペクト比は２、３又は４と同等か又はこれ以上である。
【００２０】
図５は、矩形のポンプファイバ７０（例えば、図４のファイバ５２−６３のうちの１本）と付属レーザ・ダイオード７２との間の光結合を示す概要図である。幾つかの実施態様では、２本以上のポンプファイバを同じレーザ・ダイオードに結合させることができる。
【００２１】
ポンプファイバ７２の位置及び配向は、レーザ・ダイオード７２の細長状発光面７４からのレーザ光でポンプファイバ７０の端部７６の或る領域を照明することができる。ファイバの断面は細長状であり、アスペクト比により規定されるような発光面７４の形状に類似している。すなわち、両方とも少なくとも２程度の大きさのアスペクト比を有する。ポンプファイバが円筒形（図示されていない）であり、発光面７４の最大寸法と等しい直径を有する場合に照明される面積よりも、レーザ・ダイオード７２からのレーザ光はファイバ７０の端部７６の面積の大部分を照明する。ポンプファイバ７０の端部７６は、レーザ・ダイオード７２から受光される光を平行化する円筒形レンズを形成する。幾つかの実施態様では、この端部７６は彫刻され、その端部頂点は２次元双曲線レンズである。
【００２２】
ポンプファイバ７０はレーザ・ダイオード７２に光学的に結合される。レーザ・ダイオード７２は長い発光面７４を有する。例えば、図３のファイバ１８の円筒形ファイバと同様に、ポンプファイバ７０は、レーザ・ダイオード７２からの発光を集光することができる。それにも拘わらず、ポンプファイバ７０における光強度は、円筒形ファイバにおける強度よりも一層高い。なぜなら、ファイバ７０は一層小さな断面積を有するからである。この小さな断面により、低勾配又は一層多数のポンプファイバは、従来技術の多数のファイバ束よりも１本のファイバ内で組み合わせることができる。
【００２３】
図６は、図４のファイバ束５０を使用するファイバ増幅器８０の一部を示す概要図である。増幅器８０において、ファイバ束５０の一端８１は場合により増幅器光ファイバ８２の一端に結合されている。増幅器ファイバ８２は単一モード光ファイバであるか又は多モード光ファイバである。端部８１は結合構造体８３にも隣接している。この場合、ファイバ束５０の各種ファイバ５７−６３は互いに平行に固定されている。ファイバ束５０は整列されており、そのため、ファイバ５７−６３も、端部８１付近の増幅器ファイバ８２に対して平行である。
【００２４】
中心ファイバ６６は一般的に、増幅器ファイバ８２により増幅される信号の入力ファイバであるか、又は増幅器ファイバ８２により既に増幅された信号の出力ファイバである。第二のファイバ（図示されていない）は増幅器ファイバ８２の第二の端部に結合され、そして、増幅された出力光信号を受信するか又は入力光信号を増幅器ファイバ８２へ送信する。
【００２５】
幾つかの実施態様では、増幅器ファイバ８２は活性なドーパント元素（例えば、希土類元素のエルビウム及び／又はイッテルビウムなど）を有する。ドーパント元素は光増幅に関係する。すなわち、状態の反転分布を維持することにより光増幅に関係する。増幅器ファイバ８２はダブルコアを有することもできる。この場合、外側コアが内側コアを取り囲む。このようなダブルコアファイバでは、外側コアは多角形断面を有することもできる。多角形断面は多モードポンプ光を内側コアへ案内するのに役立つ。内側コアは増幅すべき信号を搬送する。
【００２６】
ポンプファイバ５２−６３は付属のレーザ・ダイオード８４−９５から増幅器ファイバ８２へ光を配信する。ファイバ束５０は図１〜図２に示された従来技術のファイバ束１０よりも多数のポンプファイバ５２−６３を有することができる。なぜなら、ファイバ５２−６３は細長い断面を有するからである。両方のファイバ束のポンプファイバが同じ量の光を搬送する場合、ファイバ束５０はファイバ束１０よりも多量のポンプ光を増幅器ファイバ８２へ搬送する。なぜなら、ファイバ束５０は多数のポンプファイバ５２−６３を有するからである。
【００２７】
ファイバ束５０及び増幅器ファイバ８２の幾つかの実施態様は、異なる外径を有する。これらの実施態様では、ファイバ束５０の区画９８は、増幅器ファイバ８２の外径に整合するように徐々に勾配が減少する外径を有する。
【００２８】
図７Ａは、光ファイバ１０２の傾斜部分１００と、ファイバ１０２内を伝搬する光線１０４を示す模式図である。傾斜部分は、ファイバ１０２の非平行面１０５からの透過による光漏洩を起こすことができる。光線１０４が全反射のための臨界角未満の角度で傾斜面１０５に入射する場合に透過が起こる。光線が側面１０５から透過される場合、傾斜区画１００は光エネルギーを漏洩する。
【００２９】
図７Ｂは、図６に示された増幅器８０の別の実施態様により使用される別のファイバ束５０’の断面図である。ファイバ束５０’において、ポンプファイバ５２−５７は、ファイバの断面の長手軸が中心ファイバ６６に対して正接するように配列されている。ポンプファイバ５２−５７のこのような構成では、ファイバ束５０’は、ファイバ束１２及びファイバ束５０’の両方とも同数のポンプファイバと同じ直径の中心ファイバ６６，２４を有していたとしても、図１〜図２の従来技術のファイバ束１２よりも小さな全断面積を有する。小さな全断面積は、円筒形ポンプファイバ１６−２１よりも矩形ポンプファイバ５２−５７の方が小さな断面積を有することに起因する。小さな全断面積により、傾斜区画９８は、ファイバ束１２及びファイバ束５０’の両方とも同じ外径を有する増幅器ファイバ８２及び１４に結合している場合、領域２６よりも小さな傾斜を有しなければならない。この小さな傾斜により、ファイバ束１２の傾斜領域２６からのポンプ光の漏洩よりも、ファイバ束５０’の傾斜区画９８からのポンプ光の漏洩のほうが少ない。
【００３０】
図８はファイバ束１１０の別の実施態様の結合端部の断面図である。ファイバ束１１０において、ポンプファイバ１１２−１２３は台形状の断面を有する。台形の最短辺１２６の長さ及び最長辺１２７の長さは２倍以上又は３倍以上異なる。ポンプファイバ１１２−１２３は中心ファイバ６６の外周の周りに稠密に詰め込まれており、このため、台形断面部分の長辺は中心ファイバ６６の中心に対して放射状に配向されている。隣接するポンプファイバ１１２−１２３の長辺はファイバ束１１０内で接している。
【００３１】
図９は図８の台形状ポンプファイバ１２１とポンプ光を供給するレーザ・ダイオード１３０との間の光結合を示す模式図である。台形状ポンプファイバ１２１はダイオードからの光ビーム１３２に対する形状に類似しており、レンズ形のファイバ端部１４４の大きな部分がビーム１３２におり照明されるように配置されている。従って、ポンプファイバ１２１における光強度は、レーザ・ダイオード１３０により発射される光を捕捉するように構成された従来技術の円筒形ファイバ（図示されていない）における光強度よりも高い。
【００３２】
図１０は、図４Ａ，４Ｂ，７Ｂ及び８に示されたファイバ束５０，５０’及び１１０の結合構造を形成するための方法１４０の一例の模式図である。方法１４０は、ポンプファイバ及び中心ファイバ（例えば、図４Ａ−４Ｂ及び６のファイバ５２−６３）を２個の治具１３４−１３５の孔を通すことにより開始される（ステップ１４２）。孔は結合されるべき領域の外側のファイバ部分を離しておき、そして、各個別ファイバの操作を可能する。ファイバを孔に通した後、オペレータは、ファイバを緊張させながら、治具１３４−１３５を約１／２回転だけ撚回する（ステップ１４４）。この撚回によりファイバは交差領域において交差される。その後、オペレータは各個別ファイバを回転させ、交差領域において所望の断面構成を有するファイバメッシュを形成する（ステップ１４５）。これら２つの構成の断面図は図４Ａ及び図７Ｂに示される。ファイバが所望の断面構成を有するように配置されているか否か決定するために、交差領域を顕微鏡で観察することができる。
【００３３】
ファイバを所望の断面構成に回転させた後、オペレータは結合すべき領域の各側面の周囲にコード１３６，１３７を結び付ける（ステップ１４６）。この領域を縛り終えたら、オペレータは治具１３４，１３５を撚り戻し、シリカ系ゾル・ゲル１３８を１滴以上塗布し、この領域内のファイバの相対的構成を保護する（ステップ１４８）。ゾル・ゲルを乾燥させた後、ファイバの緊張を解放させても、治具１３４，１３５は結合領域内のファイバの所定の構成を変化させない。
【００３４】
構造体８３内のファイバを永久結合させるために、オペレータは結合領域を水素炎トーチ１３９で加熱する（ステップ１５０）。オペレータは結合領域を水素炎トーチ１３９から引き離し、そして、結合領域の中心を例えば、クリーバなどを使用して切断し、２個のファイバ束を作製する（ステップ１５２）。元の結合領域の半分は、図６に示されるような又は図４Ａ、７Ｂ又は８の何れかに示された断面形状を有する結合構造体８３を形成する。
【００３５】
結合構造体８３に所定の外径を与えるようにテーパ付けすることは、当業者に公知の技法によりに実施することができる。このような公知の技法は例えば、構造体の一部分を加熱しながら結合構造体の一方の端部を引っ張ることからなる。
【００３６】
図１１は、図６の増幅器８０を用いて入力光信号を増幅する方法１６０の流れ図である。この方法１６０では、レーザ・ダイオード８４−９５からポンプ光ファイバ５２−６３の端部へレーザ光を送信する（ステップ１６２）。ポンプ光ファイバ５２−６３は前記レーザ・ダイオード８４−９５により発光されるビームの断面と類似した形状の断面を有する。すなわち、両方とも、２，３又はこれ以上の等しいアスペクト比を有する。方法１６０では、ポンプファイバ５２−６３を介して伝送されたレーザ光を増幅器ファイバ８２の一方の端部へ配送する（ステップ１６４）。ポンプ光は増幅器ファイバ８２内のドーパント（例えば、エルビウム及びイットリビウム）を励起し、反転分布を生成する。その後、この方法１６０では、入力光信号を増幅器ファイバ８２の一方の端部へ送信する。例えば、入力光信号は、ファイバ束５０の中心ファイバ６６により伝送される。次いで、この方法１６０では、増幅器ファイバ８２内で入力光信号を増幅し、そして、この増幅信号を増幅器ファイバの他方の端部から伝送する（ステップ１６８）。
【００３７】
この方法１６０では、ポンプ光及び入力光信号を、増幅器ファイバ８２の同じ端部又は反対側の端部へ配信する。ポンプ光及び入力光信号が同じ端部へ到着したら、ポンプ光及び入力光信号は、増幅器ファイバ８２の各内部コア及び増幅器ファイバ８２の端部の全コア部分へ伝送される。
【００３８】
その他の実施態様は、その他のタイプの光学装置において、図４Ａ，７Ｂ及び８のファイバ束５０，５０’及び１１０を使用する。例えば、光送信機はファイバ束を使用し、複数のファイバ（すなわち、図４Ａのファイバ５２−６３）を１本の多モード伝送ファイバに終端接続させることができる。このような構成では、中心ファイバは光を搬送するか、又は搬送しない。ファイバ束のこのような使用は、多重光ネットワークにおいて有用である。
【００３９】
【発明の効果】
以上説明したように、本発明によれば、光増幅器の光利得を更に一層高めることができる。
【００４０】
特許請求の範囲の発明の要件の後に括弧で記載した番号は、本発明の一実施例の対応関係を示すもので本発明の範囲を限定するものと解釈すべきではない。
【図面の簡単な説明】
【図１】従来技術による光ファイバの一例の部分概要図である。
【図２】図１に示された従来技術による光ファイバの結合端部の断面図である。
【図３】図１に示されたポンプファイバに対するレーザ・ダイオードの結合を示す斜視図である。
【図４】（Ａ）はファイバ束の或る実施態様の端面図であり、（Ｂ）は（Ａ）に示されたファイバ束の溶融端付近の数本のファイバの斜視図である。
【図５】図４Ａ及び図４Ｂに示されたファイバ束の或る１本のポンプファイバに対するレーザ・ダイオードの結合方法を示す斜視図である。
【図６】図４Ａ及び図４Ｂに示されたファイバ束を使用するファイバ増幅器の一例の部分概要図である。
【図７】（Ａ）は光ファイバのテーパ付部分における光漏洩を説明する模式図であり、（Ｂ）はファイバ束の別の実施態様の結合端部の断面図である。
【図８】図６に示された増幅器で使用することができるファイバ束の別の実施態様の端面図である。
【図９】図８に示されたファイバ束の或る１本のポンプファイバに対するレーザ・ダイオードの結合方法を示す斜視図である。
【図１０】図４Ａ、４Ｂ、６及び８に示されたファイバ束を形成するためにファイバの部分を結合する方法を説明する一連の模式図である。
【図１１】図６に示されたファイバ増幅器により入力光信号を増幅する方法の流れ図である。
【符号の説明】
１０  増幅器
１２  ファイバ束
１３  端部
１４  増幅器ファイバ
１６〜２１  ポンプファイバ
２４  入力ファイバ
２７〜３２  レーザ・ダイオード
４３  ポンプファイバの端部
４４  円筒形レンズ
５０  ファイバ束
５２〜６３  ポンプファイバ
６６  中心光ファイバ
６８  シリコン系材料
７０  矩形ポンプファイバ
７２  レーザ・ダイオード
７４  発光面
７６  端部
８０  増幅器
８１  端部
８２  増幅器光ファイバ
１００  テーパ付部分
１０２  光ファイバ
１０４  光線
１０５  非平行面
１１０  ファイバ束
１１２〜１２３  ポンプファイバ
１２６  短辺
１２７  長辺
１３０  レーザ・ダイオード
１３２  光束
１３４，１３５  治具
１３６，１３７  コード
１３８  シリカ系ゾル・ゲル
１３９  水素炎トーチ
１４４  レンズ形ファイバ端部
【図１】
0004901032.tif 000002
【図２】
0004901032.tif 000003
【図３】
0004901032.tif 000004
【図４】
0004901032.tif 000005
【図５】
0004901032.tif 000006
【図６】
0004901032.tif 000007
【図７】
0004901032.tif 000008
【図８】
0004901032.tif 000009
【図９】
0004901032.tif 000010
【図１０】
0004901032.tif 000011
【図１１】
0004901032.tif 000012